(57)【要約】【課題】施設外の端末と通信可能なインターホン装置、インターホンシステム及びプログラムを提供する。【解決手段】インターホン装置１０は、施設５内に設けられている。インターホン装置１０は、所定の範囲内にある情報端末５０と通信する通信制御部１０３と、入力部１０１とを備える。通信制御部１０３は、入力部１０１で受け付けた入力情報に基づいて、情報端末５０を介して施設５外の通信端末６０との通信を行う機能を有している。これにより、インターホン装置１０は、施設５外の通信端末６０との通信が可能となる。【選択図】図１
2019068357.tif 000002
【特許請求の範囲】
【請求項１】
施設内に設けられたインターホン装置であって、
所定の範囲内にある情報端末と通信する通信制御部と、
入力部とを備え、
前記通信制御部は、前記入力部で受け付けた入力情報に基づいて、前記情報端末を介して前記施設外の他の端末との通信を行う機能を有している
インターホン装置。
【請求項２】
前記通信制御部は、
前記情報端末を介した他の端末との通信に係る情報として、前記情報端末を介した前記他の端末との通話を指示する指示情報を、前記情報端末に送信する
請求項１に記載のインターホン装置。
【請求項３】
前記通信制御部は、
前記指示情報を送信した後、前記情報端末を介した前記他の端末との通話に係る情報を送受信する機能を有している
請求項２に記載のインターホン装置。
【請求項４】
前記通信制御部は、
前記入力部が前記入力情報として前記他の端末との通信の終了を表す情報を受け付けると、前記情報端末を介した前記他の端末との通話の終了を指示する終了情報を前記情報端末に送信する機能を有している
請求項３に記載のインターホン装置。
【請求項５】
前記情報端末を介した前記他の端末との通信において、前記情報端末との間の通信に用いられる通信プロトコルは、前記情報端末と前記他の端末との間の通信に用いられる通信プロトコルとは異なっている
請求項１〜４のいずれか一項に記載のインターホン装置。
【請求項６】
前記入力部は、
前記通信制御部との通信の対象となる対象情報端末が前記施設内に複数台存在する場合には、前記複数台の対象情報端末から選択された１つの対象情報端末を前記情報端末として受け付け、
前記通信制御部は、
前記入力部が受け付けた前記情報端末を介して前記他の端末との通信を行う
請求項１〜５のいずれか一項に記載のインターホン装置。
【請求項７】
前記通信制御部は、
前記情報端末が前記他の端末からの発呼を受け取ったことを表す受電通知を前記情報端末から受信する機能を有している
請求項１〜６のいずれか一項に記載のインターホン装置。
【請求項８】
出力部を、更に備え、
前記出力部は、
前記通信制御部が前記受電通知を受け取った場合に、前記他の端末に係る情報を出力する
請求項７に記載のインターホン装置。
【請求項９】
前記出力部は、
前記通信制御部が前記受電通知を受け取った場合に、前記情報端末に係る情報を出力する
請求項８に記載のインターホン装置。
【請求項１０】
前記入力部は、前記入力情報として音声を表す音声データを受け付け、
前記通信制御部は、前記音声データに基づいて、前記情報端末を介した前記他の端末との通信を行う
請求項１〜９のいずれか一項に記載のインターホン装置。
【請求項１１】
複数の利用者の各々の音声データである登録情報を基に、前記複数の利用者のうち前記音声の話者を判別する判別部を、さらに備える
請求項１０に記載のインターホン装置。
【請求項１２】
請求項１〜１１のいずれか一項に記載のインターホン装置と、
前記情報端末を介さずに前記インターホン装置と通話するための通話装置とを
備えるインターホンシステム。
【請求項１３】
請求項１〜１１のいずれか一項に記載のインターホン装置と通信する情報端末で用いられるプログラムであって、
コンピュータに、
前記インターホン装置と前記他の端末との間の通信経路で情報を入出力して、前記インターホン装置と前記他の端末との間での通信における中継器として機能させるプログラム。
【発明の詳細な説明】
【技術分野】
【０００１】
本開示は、インターホン装置、インターホンシステム及びプログラムに関し、より詳細には、情報端末と通信可能なインターホン装置、インターホンシステム及び当該情報端末で用いられるプログラムに関する。
【背景技術】
【０００２】
従来、種々のインターホンシステムが提案されている。例えば、集合住宅の共用玄関（ロビー）に設置されているロビーインターホン及び集合住宅の住戸の外玄関に設置されている子機と、住戸内に設置されている親機とを有するインターホンシステムが開示されている（特許文献１参照）。
【０００３】
子機は第１伝送路を介して親機に接続され、ロビーインターホンは第２伝送路、通信装置及び共用伝送路を介して親機に接続されている。これにより、親機は、子機及びロビーインターホンと通信が可能となる。
【先行技術文献】
【特許文献】
【０００４】
【特許文献１】特開２０１７−１３９６７０号公報
【発明の概要】
【発明が解決しようとする課題】
【０００５】
近年、インターホン親機（インターホン装置）について、インターホン子機及びロビーインターホンに限らず、住戸（施設）外の端末との通信が望まれている。
【０００６】
そこで、本開示は上記事由に鑑みてなされており、施設外の端末と通信可能なインターホン装置、インターホンシステム及びプログラムを提供することを目的とする。
【課題を解決するための手段】
【０００７】
本開示に一態様に係るインターホン装置は、施設内に設けられる。前記インターホン装置は、所定の範囲内にある情報端末と通信する通信制御部と、入力部とを備える。前記通信制御部は、前記入力部で受け付けた入力情報に基づいて、前記情報端末を介して前記施設外の他の端末との通信を行う機能を有している。
【０００８】
本開示に一態様に係るインターホンシステムは、前記インターホン装置と、前記情報端末を介さずに前記インターホン装置と通話するための通話装置とを備える。
【０００９】
本開示に一態様に係るプログラムは、前記インターホン装置と通信する情報端末で用いられる。前記プログラムは、コンピュータに、前記インターホン装置と前記他の端末との間の通信経路で情報を入出力して、前記インターホン装置と前記他の端末との間での通信における中継器として機能させる。
【発明の効果】
【００１０】
本開示によると、インターホン装置は、施設外の端末との通信が可能となる。
【図面の簡単な説明】
【００１１】
【図１】図１は、実施形態１に係るインターホン装置の構成の概要を示すブロック図である。
【図２】図２は、実施形態１に係る施設内の情報端末の構成の概要を示すブロック図である。
【図３】図３は、実施形態１に係るインターホン装置と施設外の情報端末との通信時の動作の流れを説明する図である。
【図４】図４は、実施形態２に係るインターホン装置の構成の概要を示すブロック図である。
【発明を実施するための形態】
【００１２】
以下に説明する各実施形態及び変形例は、本開示の一例に過ぎず、本開示は、各実施形態及び変形例に限定されない。これらの実施形態及び変形例以外であっても、本開示の技術的思想を逸脱しない範囲であれば、設計等に応じて種々の変更が可能である。
【００１３】
（実施形態１）
（１）概要
本実施形態のインターホンシステム１は、図１に示すように、インターホン親機としてのインターホン装置１０と、ロビーインターホン２０（通話装置）と、制御装置３０と、インターホン子機２１とを備えている。本実施形態では、インターホンシステム１が集合住宅用のインターホンシステムである場合を例として説明する。
【００１４】
インターホン装置１０は、例えば、集合住宅の住戸である施設５ごとに施設５内に設置される装置であり、いわゆるインターホン親機である。ロビーインターホン２０は、例えば、集合住宅のロビー等の共用スペースに設置される。インターホン装置１０とロビーインターホン２０とは、制御装置３０を介して互いに通信可能に構成されている。インターホン子機２１は、施設５の外玄関に設置され、インターホン装置１０と互いに通信可能に構成されている。これにより、本実施形態に係るインターホンシステム１では、インターホン装置１０とロビーインターホン２０及びインターホン子機２１との間で通話可能となる。なお、複数の施設５を個別に表す場合は、施設５ａ、施設５ｂ、・・・、施設５ｃと記載する。
【００１５】
ロビーインターホン２０は、来訪者から呼び出しのための操作を受け付けると、施設５内の居住者を呼び出すための制御信号（呼出信号）をインターホン装置１０に制御装置３０を介して送信する。ロビーインターホン２０は、インターホン装置１０に対する操作によりインターホン装置１０との間で通話が可能になると、来訪者の音声のデータを制御装置３０を介して送信する。ロビーインターホン２０は、インターホン装置１０の操作者の音声のデータを制御装置３０を介して受け取ると、受け取ったデータに基づく音声（操作者の音声）を出力する。
【００１６】
インターホン子機２１は、来訪者から呼び出しのための操作を受け付けると、施設５内の居住者を呼び出すための制御信号（呼出信号）をインターホン装置１０に送信する。インターホン子機２１は、インターホン装置１０に対する操作によりインターホン装置１０との間で通話が可能になると、来訪者の音声のデータを送信する。インターホン子機２１は、インターホン装置１０の操作者の音声のデータを受け取ると、受け取ったデータに基づく音声（操作者の音声）を出力する。
【００１７】
インターホン装置１０が制御信号（呼出信号）をロビーインターホン２０から受信している状態（つまり、来訪者からロビーインターホン２０を介して呼出がある状態）で施設５内の住居者は、ロビーインターホン２０との通話又はロビーの扉の解錠の操作を行う。
【００１８】
制御装置３０は、ロビーインターホン２０から制御信号（呼出信号）を受け取ると、呼出があるインターホン装置１０に送信する。制御装置３０は、インターホン装置１０とロビーインターホン２０との間で通話が可能な状態である場合には、来訪者の音声のデータ及び操作者の音声のデータを送受信する。さらに、制御装置３０は、インターホン装置１０の操作に応じて、例えばロビーに設けられた出入口を開閉する扉の施錠、解錠を行う。
【００１９】
インターホン装置１０は、施設５内に設置されたルータ４０を介して施設５内の１以上の情報端末５０と通信可能である。図１では、施設５ａのインターホン装置１０は、ルータ４０を介して２台の情報端末５０と通信可能となっている。また、図１では、施設５ｂ及び施設５ｃのインターホン装置１０は、ルータ４０を介して１台の情報端末５０と通信可能となっている。なお、施設５ａ内の２台の情報端末５０を個別に表す場合には、情報端末５０ａ、情報端末５０ｂと記載する。また、情報端末５０は、例えば携帯電話機、スマートフォン、タブレット等の通信可能な携帯型の端末である。ここでは、一例として情報端末５０は、スマートフォンである。
【００２０】
インターホン装置１０は、施設５内で通信可能な１以上の情報端末５０のうち１台の情報端末５０を介して、施設５外の通信端末６０と通信可能である。これにより、インターホン装置１０は、施設５外の通信端末６０と、通話等の通信が可能となる。なお、通信端末６０は、例えば携帯電話機、スマートフォン、タブレット、固定電話機、ＩＰ電話機等の情報端末５０と通話が可能な端末である。ここでは、一例として通信端末６０は、スマートフォンである。
【００２１】
つまり、インターホン装置１０は、施設５外の通信端末６０と通話等の通信では情報端末５０を介して行うが、ロビーインターホン２０及びインターホン子機との通話では、情報端末５０を介さずに行う。
【００２２】
（２）構成
（２−１）インターホン装置
まず、インターホン装置１０の構成について説明する。インターホン装置１０は、図１に示すように、第１通信部１１と、第２通信部１２と、記憶部１３と、表示部１４と、操作部１５と、スピーカ１６と、マイクロホン１７と、制御部１８とを備えている。
【００２３】
インターホン装置１０は、例えばプロセッサ及びメモリを有するマイクロコンピュータを有している。そして、プロセッサがメモリに格納されているプログラムを実行することにより、マイクロコンピュータが制御部１８として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２４】
第１通信部１１は、施設５内の１以上の情報端末５０と通信するためのインタフェースである。具体的には、第１通信部１１は、ルータ４０との間で例えばＷｉ−Ｆｉ（登録商標）に準拠した近距離無線通信を行う。第１通信部１１は、ルータ４０との間で近距離無線通信により音声データ等の情報の送受信が可能となる。
【００２５】
第２通信部１２は、ロビーインターホン２０と通信するための通信インタフェースである。第２通信部１２は、例えばツイストペア線等からなる２線式の伝送路を介して、ロビーインターホン２０と電気的に接続されている。ロビーインターホン２０との間で音声信号及び制御信号が双方向に伝送可能となるよう、第２通信部１２は、ロビーインターホン２０との間で双方向に通信可能に構成されている。また、第２通信部１２は、インターホン子機２１との間で双方向に通信可能に構成されている。
【００２６】
記憶部１３は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１３は、施設５内の情報端末５０を介して施設５外の通信端末６０と通信（通話）を行うための情報を記憶している。例えば、記憶部１３は、通信端末６０の電話番号と通信を行う相手の名前（通信相手名）とを対応付けて記憶している。
【００２７】
記憶部１３は、施設５外の通信端末６０と通信（通話）する際に、利用可能な１つ以上の情報端末５０のデータを記憶している。情報端末５０のデータは、例えば、情報端末５０の電話番号又は所持者の名前等である。
【００２８】
表示部１４は、ロビーインターホン２０にカメラが備えられている場合には、ロビーインターホン２０から送信される画像信号に基づいてカメラが撮像した画像を表示する。表示部１４は、インターホン子機２１にカメラが備えられている場合には、インターホン子機２１から送信される画像信号に基づいてカメラが撮像した画像を表示する。
【００２９】
表示部１４は、施設５外の通信端末６０と通信する際に使用する情報端末５０を選択する選択画面を表示する。選択画面で表示される情報端末５０は、記憶部１３が記憶している情報端末５０すべてであってもよいし、記憶部１３が記憶している情報端末５０のうち予め設定(指定)された情報端末であってもよい。または、選択画面で表示される情報端末５０は、記憶部１３が記憶している情報端末５０のうち接続可能な情報端末であってもよい。
【００３０】
表示部１４は、情報端末５０を介した通信（通話）先となる通信端末６０を選択するための一覧画面を表示する。一覧画面は、例えば、記憶部１３が記憶している通信相手名を少なくとも含んでいる。
【００３１】
操作部１５は、施設５内の居住者の操作を受け付ける。第２通信部１２が居住者を呼び出すための制御信号（呼出信号）をロビーインターホン２０又はインターホン子機２１から受信している状態で、操作部１５に対して所定の操作（例えば押操作）がされると、インターホン装置１０とロビーインターホン２０又はインターホン子機２１との間で通話可能な状態となる。第２通信部１２が呼出信号をロビーインターホン２０から受信している状態、又はロビーインターホン２０と通話可能な状態で、操作部１５にロビーに設けられた扉の解錠の操作がされると、解錠信号が制御装置３０に送信される。
【００３２】
操作部１５は、表示部１４が選択画面を表示している場合に、１つ以上の情報端末５０のうち１つの情報端末５０の選択を受け付ける。例えば、選択画面で記憶部１３が記憶している１つ以上の情報端末５０のデータを表示している場合に、１つ以上の情報端末５０のデータから１つの情報端末５０のデータを受け付ける。インターホン装置１０は、受け付けた情報端末５０のデータに対応する情報端末５０を介して通信端末６０と通信（通話）を行う。
【００３３】
操作部１５は、表示部１４が一覧画面を表示している状態で、１つの通信相手名の選択を受け付ける。操作部１５は、通信端末６０との通信に係る情報を受け付ける。例えば、操作部１５は、通信端末６０との通信の開始を指示する情報、及び終了を指示する情報を受け付ける。通信端末６０との通信の開始を指示する情報は、例えば、一覧画面から選択された１つの通信相手名に対して通信（通話）を開始する指示を表す情報である。なお、インターホン装置１０がタッチパネルディスプレイを備えている場合は、タッチパネルディスプレイが表示部１４と操作部１５とを兼ねることになる。
【００３４】
スピーカ１６は、インターホン装置１０がロビーインターホン２０又はインターホン子機２１と通話可能な状態である場合には、ロビーインターホン２０又はインターホン子機２１から送信された音声データに基づいた音声を出力する。スピーカ１６は、インターホン装置１０が情報端末５０を介して通信端末６０と通信（通話）可能な状態である場合には、通信端末６０から情報端末５０を介して送信された音声データに基づいた音声を出力する。
【００３５】
マイクロホン１７は、施設５の住居者（インターホン装置１０の操作者）の音声を取得する。
【００３６】
制御部１８は、図１に示すように、入力部１０１、処理部１０２、通信制御部１０３及び出力部１０４を含んでいる。
【００３７】
入力部１０１は、操作部１５で入力された情報であって通信端末６０との通信に係る情報（入力情報）を、操作部１５から受け取る。例えば、入力部１０１は、入力情報として通信端末６０との通信（通話）の開始を表す情報、及び終了を表す情報を操作部１５から受け取る。
【００３８】
入力部１０１は、通信制御部１０３との通信（通話）の対象となる複数の情報端末５０（対象情報端末）から選択された１つの情報端末５０を受け付ける。具体的には、入力部１０１は、表示部１４が選択画面を表示している状態で、選択された情報端末５０のデータを含む選択情報を操作部１５での操作により受け付ける。
【００３９】
入力部１０１は、表示部１４が一覧画面を表示している状態で、選択された通信相手名を少なくとも含む通信相手情報を操作部１５での操作により受け付ける。
【００４０】
処理部１０２は、入力部１０１が通信相手情報を受け取ると、通信相手情報に含まれる通信相手名を基に、対応する電話番号を記憶部１３から取得する。処理部１０２は、取得した電話番号を含み、通信端末６０と通話を指示する指示情報を生成する。
【００４１】
処理部１０２は、入力部１０１が通信（通話）の終了を指示する情報を受け取ると、通信端末６０との通信を終了する旨の終了情報を生成する。
【００４２】
処理部１０２は、指示情報を送信してから終了情報を送信するまでの間、マイクロホン１７から音声のデータ（第１音声信号）を受け取る。処理部１０２は、指示情報を送信してから終了情報を送信するまでの間、通信端末６０から第１通信部１１を介して受け取った音声のデータ（第２音声信号）をスピーカ１６に出力する。このとき、スピーカ１６は、受け取った第２音声信号を基に音声を出力する。
【００４３】
処理部１０２は、情報端末５０に対して通信端末６０から発呼があった場合、情報端末５０が発呼を受け取ったことを表す受電通知を、第１通信部１１を介して情報端末５０から受け取る。受電通知は、情報端末５０の情報（例えば、電話番号）と、通信端末６０の情報（例えば、電話番号）を含んでいる。処理部１０２は、受電通知を受け取ると、出力部１０４を介して施設５の住居者に対して報知を行う。
【００４４】
通信制御部１０３は、第１通信部１１を介して情報端末５０との通信を行う。具体的には、処理部１０２が入力情報に基づいて生成した指示情報及び終了情報を、入力部１０１が受け付けた選択情報に対応する情報端末５０に第１通信部１１を介して送信する。通信制御部１０３は、処理部１０２がマイクロホン１７から受け取った第１音声信号を、入力部１０１が受け付けた選択情報に対応する情報端末５０に第１通信部１１を介して送信する。通信制御部１０３は、通信端末６０から情報端末５０及び第１通信部１１を介して第２音声信号を受け取ると、第２音声信号を処理部１０２へ出力する。通信制御部１０３は、受電通知を、情報端末５０及び第１通信部１１を介して通信端末６０から受け取ると、処理部１０２へ出力する。
【００４５】
上述したように通信制御部１０３は、第１通信部１１を介して、入力情報に基づいた情報（指示情報、終了情報）、及び第１音声信号を送信している。通信制御部１０３は、第１通信部１１を介して、第２音声信号を受け取っている。そのため、通信制御部１０３は、入力部１０１で受け付けた入力情報に基づいて、情報端末５０を介して通信端末６０との通信を行う機能を有しているといえる。特に、通信制御部１０３は、指示情報を送信する機能、及び終了情報を送信する機能を有しているといえる。さらに、通信制御部１０３は、通話時において、音声信号を送受信する機能、具体的には、第１音声信号を送信し、第２音声信号を受信する機能を有しているといえる。さらに、通信制御部１０３は、情報端末５０及び第１通信部１１を介して受電通知を受け取っている。そのため、通信制御部１０３は、受電通知を情報端末５０から受信する機能を有しているといえる。
【００４６】
制御部１８は、ロビーインターホン２０がカメラを備えている場合にはロビーインターホン２０から第２通信部１２を介して画像信号を受けて、画像処理を行う。この場合、表示部１４は、制御部１８で処理された画像を表示する。また、制御部１８は、インターホン子機２１がカメラを備えている場合にはインターホン子機２１から第２通信部１２を介して画像信号を受けて、画像処理を行う。
【００４７】
制御部１８は、ロビーインターホン２０との間で通話が可能な状態である場合に、マイクロホン１７から操作者の音声のデータ（音声信号）を受け取ると、受け取った音声信号を第２通信部１２を介してロビーインターホン２０に送信する。制御部１８は、ロビーインターホン２０との間で通話が可能な状態である場合に、ロビーインターホン２０から来訪者の音声信号を受け取ると、受け取った音声信号をスピーカ１６に出力する。このとき、スピーカ１６は受け取った音声信号を基に音声を出力する。
【００４８】
制御部１８は、インターホン子機２１との間で通話が可能な状態である場合に、マイクロホン１７から操作者の音声のデータ（音声信号）を受け取ると、受け取った音声信号を第２通信部１２を介してインターホン子機２１に送信する。制御部１８は、インターホン子機２１との間で通話が可能な状態である場合に、インターホン子機２１から来訪者の音声信号を受け取ると、受け取った音声信号をスピーカ１６に出力する。
【００４９】
出力部１０４は、処理部１０２から受け取った受電通知を基に、表示部１４及びスピーカ１６を用いた出力（報知）を行う。具体的には、出力部１０４は、表示部１４に情報端末５０の情報及び通信端末６０の情報の少なくとも一方を表示させ、スピーカ１６に報知音（着信音）を出力させる。つまり、出力部１０４の制御により、表示部１４は、情報端末５０の情報及び通信端末６０の情報の少なくとも一方を表示し、スピーカ１６は報知音を出力する。なお、出力部１０４は、受電通知を受け取った場合、表示部１４及びスピーカ１６のうち少なくとも一方を用いた報知であってもよい。また、スピーカ１６は、情報端末５０の情報及び通信端末６０の情報を音声で出力してもよい。なお、出力部１０４は、スピーカ１６に報知音（着信音）を出力させる場合に、情報端末５０及び通信端末６０に応じて報知音が異なるようにしてもよい。
【００５０】
（２−２）情報端末
ここでは、施設５内の情報端末５０の構成について説明する。
【００５１】
情報端末５０は、図２に示すように、第１通信部５１、第２通信部５２及び制御部５３を備える。
【００５２】
情報端末５０は、例えばプロセッサ及びメモリを有するマイクロコンピュータを有している。そして、プロセッサがメモリに格納されているプログラムを実行することにより、マイクロコンピュータが制御部５３として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００５３】
情報端末５０は、専用のアプリケーションソフト（通信アプリケーションソフト）をインストールし、このアプリケーションソフトを起動する。通信アプリケーションソフトを起動することにより、情報端末５０は、インターホン装置１０と通信端末６０との通信（通話）において、いわゆる中継器としての機能を実現する。
【００５４】
第１通信部５１は、インターホン装置１０と通信するためのインタフェースである。具体的には、第１通信部５１は、ルータ４０との間で例えばＷｉ−Ｆｉに準拠した近距離無線通信を行う。第１通信部５１は、ルータ４０との間で近距離無線通信により音声データ等の情報の送受信が可能となる。
【００５５】
第２通信部５２は、施設５外の通信端末６０と通信するためのインタフェースである。具体的には、第２通信部５２は、第１通信部５１が行う通信方式とは異なる通信方式、つまり第１通信部５１が行う通信の通信プロトコルとは異なる通信プロトコルで、通信端末６０と通信を行う。例えば、第２通信部５２は、通信事業者が提供する携帯電話網（キャリア網）６を介して、通信を行う。第２通信部５２は、携帯電話網６を介した通信により音声データ等の情報の送受信が可能となる。
【００５６】
情報端末５０は、上述した通信アプリケーションソフトをインストールし、通信アプリケーションソフトを起動することにより、インターホン装置１０と通信端末６０との間の通信を制御するための制御部５３としての機能を実現する。
【００５７】
以下、通信アプリケーションが起動された状態での制御部５３の機能について説明する。
【００５８】
制御部５３は、インターホン装置１０から第１通信部５１を介して、指示情報を受け取る。制御部５３は、指示情報に含まれる電話番号（通信端末６０の電話番号）に対して、第２通信部５２を介して発呼を行う。通信端末６０が発呼に対する応答を行うことで、情報端末５０と通信端末６０との間で、携帯電話網（キャリア網）６を介した通信（通話）が可能となる。
【００５９】
制御部５３は、インターホン装置１０から第１通信部５１を介して、終了情報を受け取ると、情報端末５０と通信端末６０との間の通信（通話）を終了する。例えば、制御部５３は、情報端末５０を、例えばオンフック状態とする等、通信（通話）の終了の入力を受け付けて、通信端末６０との間の接続を切断する。
【００６０】
制御部５３は、発呼後、通信（通話）が可能となった状態から終了情報を受け取るまでの間において、第１音声信号をインターホン装置１０から受け取ると、受け取った第１音声信号を通信端末６０に第２通信部５２を介して送信する。制御部５３は、発呼後、通信が可能となった状態から終了情報を受け取るまでの間において、第２音声信号を通信端末６０から受け取ると、受け取った第２音声信号をインターホン装置１０に第１通信部５１を介して送信する。
【００６１】
制御部５３は、通信端末６０で通信（通話）の終了に関する処理が行われる、例えば通信端末６０が通信（通話）の終了の入力を受け付けて通信端末６０との間の接続が切断されると、情報端末５０と通信端末６０との間の通信（通話）を終了する。
【００６２】
制御部５３は、情報端末５０が終了情報をインターホン装置１０から受け取る前に通信端末６０で通信（通話）の終了に関する処理が行われると、第１音声信号をインターホン装置１０から受け取っても通信端末６０には送信しない。また、制御部５３は、インターホン装置１０から終了情報を受け取っても、通信端末６０によって既に通信端末６０との間の接続が切断されているので、と通信端末６０との間の通信（通話）の終了に係る処理は行わない。
【００６３】
制御部５３は、通信端末６０がオン状態となる前に情報端末５０が終了情報を受け取って通信の終了に関する処理が行われると、通信端末６０が通信（通話）の終了の入力を受け付けても通信端末６０との間の接続が切断されているので、第２信号を受け取ることはない。
【００６４】
制御部５３は、情報端末５０（自機）に対する通信端末６０からの発呼を受け取ると、受電通知を、第１通信部５１を介してインターホン装置１０に送信する。インターホン装置１０の操作者が所定の操作を行うことで、情報端末５０と通信端末６０との間で、携帯電話網６を介した通信（通話）が可能となる。この場合も上記と同様に、情報端末５０がインターホン装置１０から終了情報を受け取る、又は通信端末６０が通信（通話）の終了の入力を受け付けることで、通信（通話）の終了が終了する。
【００６５】
（３）動作
ここでは、情報端末５０を介した、インターホン装置１０と通信端末６０との通信（通話）を行う際の動作について説明する。
【００６６】
まず、インターホン装置１０が通信先（通話先）としての通信端末６０を指定して通信を行う場合の動作について、図３を用いて説明する。ここでは、情報端末５０において通信アプリケーションソフトが起動されている。
【００６７】
インターホン装置１０の操作者は、所定の操作を行い、表示部１４に選択画面を表示させる。インターホン装置１０の入力部１０１は、選択画面が表示された状態で、１つの情報端末５０の選択を受け付ける（ステップＳ１）。具体的には、インターホン装置１０の入力部１０１は、選択された情報端末５０のデータを含む選択情報を受け付ける。
【００６８】
インターホン装置１０の操作者は、所定の操作を行い、表示部１４に一覧画面を表示させる。入力部１０１は、一覧画面が表示された状態で、１つの通信相手名の選択を受け付ける（ステップＳ２）。具体的には、入力部１０１は、表示部１４が一覧画面を表示している状態で、通信相手名を少なくとも含む通信相手情報を受け付ける。なお、ステップＳ１とステップＳ２との処理順序は入れ替えてもよい。
【００６９】
処理部１０２は、通信相手情報に含まれる通信相手名を基に、対応する電話番号を記憶部１３から取得し、取得した電話番号を含む指示情報を生成する。通信制御部１０３は、処理部１０２から指示情報を受け取ると、受け取った指示情報を情報端末５０に送信する（ステップＳ３）。
【００７０】
情報端末５０の制御部５３は、インターホン装置１０から指示情報を受け取ると、指示情報に含まれる電話番号を用いて当該電話番号に対応する通信端末６０に対して発呼を行う（ステップＳ４）。通信端末６０が発呼に対する応答を行うと、情報端末５０と通信端末６０との間で、携帯電話網（キャリア網）６を介した通信（通話）が可能となる。
【００７１】
インターホン装置１０と通信端末６０とは、情報端末５０を介した通話を行う（ステップＳ５）。具体的には、通信制御部１０３は、処理部１０２がマイクロホン１７から受け取った第１音声信号を、情報端末５０へ送信する。情報端末５０の制御部５３は、第１音声信号をインターホン装置１０から受け取ると、受け取った第１音声信号を通信端末６０に送信する。制御部５３は、第２音声信号を通信端末６０から受け取ると、受け取った第２音声信号をインターホン装置１０に送信する。インターホン装置１０の処理部１０２は、第２音声信号を情報端末５０から通信制御部１０３を介して受け取ると、受け取った第２音声信号をスピーカ１６に出力する。
【００７２】
処理部１０２は、通信（通話）の終了を表す情報を入力部１０１が受け付けると、終了情報を生成する。通信制御部１０３は、処理部１０２が生成した終了情報を情報端末５０に送信する（ステップＳ６）。情報端末５０の制御部５３は、インターホン装置１０から終了情報を受け取ると、終了処理を行い、情報端末５０と通信端末６０との間の通信（通話）を終了する（ステップＳ７）。
【００７３】
次に、施設５外の通信端末６０から施設５内の情報端末５０に受電があった場合の動作について説明する。ここでは、情報端末５０において通信アプリケーションが起動されている。
【００７４】
通信端末６０は、情報端末５０に対して発呼する。情報端末５０は、通信端末６０からの発呼を受け取ると、受電通知をインターホン装置１０に送信する。ここで、受電通知は、上述したように、通信端末６０の情報（通信端末６０の電話番号）と情報端末５０の情報(情報端末５０の電話番号)を含んでいる。
【００７５】
インターホン装置１０の出力部１０４は、表示部１４に情報端末５０の情報及び通信端末６０の情報の少なくとも一方を表示させ、スピーカ１６に報知音を出力させる。
【００７６】
（４）変形例
本実施形態では、通信端末６０と通信を行おうとする際に選択画面を表示し、情報端末５０を選択する、つまり通信の開始時には必ず情報端末５０を選択する構成としたが、この構成に限定されない。インターホン装置１０は、通信に使用する情報端末５０の選択を予め受け付けてもよい。この場合、記憶部１３は、情報端末５０のデータに、当該情報端末５０を通信において中継器として使用するか否かを表すフラグを対応付けて記憶する。選択画面が表示されている状態で入力部１０１が１つの情報端末５０の選択を受け付けると、処理部１１２は、選択された情報端末５０に対応するフラグに中継器として使用することを表す第１値を設定する。他の情報端末５０のフラグには、中継器として使用しないことを表す第２値が設定される。出力部１０４は、指示情報を、第１値がフラグに設定されている情報端末５０に送信する。通信の終了時には、出力部１０４は、終了情報を、第１値がフラグに設定されている情報端末５０に送信する。
【００７７】
また、本実施形態では、インターホン装置１０は、通信相手名をインターホン装置１０の記憶部１３が記憶している情報を基に選択する構成としたが、この構成に限定されない。インターホン装置１０は、選択画面で選択された情報端末５０が記憶している情報（例えば、通信相手名と電話番号とを対応付けた連絡一覧表）を基に、通信相手名を選択してもよい。この場合、インターホン装置１０は、選択された情報端末５０が有する連絡一覧表を基に、特定した通信相手名に対応する電話番号を取得する。または、操作者が電話番号を入力することで、インターホン装置１０の操作部１５が電話番号を受け付けてもよい。
【００７８】
（実施形態２）
本実施形態のインターホン装置１０ａは、音声による指示を受け付ける点が、実施形態１のインターホン装置１０と異なる。以下、本実施形態のインターホン装置１０ａについて、実施形態１と異なる点を中心に説明する。なお、実施形態１と同様の構成要素には同一の符号を付して説明を適宜省略する。
【００７９】
本実施形態におけるインターホンシステム１のインターホン装置１０ａは、図４に示すように、第１通信部１１と、第２通信部１２と、記憶部１３ａと、表示部１４と、操作部１５と、スピーカ１６と、マイクロホン１７と、制御部１８ａとを備えている。
【００８０】
インターホン装置１０ａは、例えばプロセッサ及びメモリを有するマイクロコンピュータを有している。そして、プロセッサがメモリに格納されているプログラムを実行することにより、マイクロコンピュータが制御部１８ａとして機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００８１】
記憶部１３ａは、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１３ａは、実施形態１の記憶部１３と同様に、通信端末６０の電話番号と通信（通話）を行う相手の名前（通信相手名）とを対応付けて記憶している。
【００８２】
記憶部１３ａは、１つ以上の情報端末５０のデータを含む端末一覧表を記憶している。情報端末５０のデータは、例えば、情報端末５０の所持者の名前を少なくとも含む。端末一覧表では、情報端末５０ごとに、情報端末５０のデータが対応付けられている。
【００８３】
記憶部１３ａは、情報端末５０を所持する人の音声のデータ(利用者音声データ)と所持者の名前との組を含む利用者一覧表を記憶している。ここで、利用者音声データは、特定の文言を表す音声のデータである。
【００８４】
制御部１８ａは、図２に示すように、通信制御部１０３、出力部１０４、入力部１１０、判別部１１１及び処理部１１２を有している。
【００８５】
以下、入力部１１０、判別部１１１及び処理部１１２について説明する。
【００８６】
入力部１１０は、入力情報を、操作部１５から受け取る。入力部１１０は、表示部１４が選択画面を表示している状態で選択情報を操作部１５での操作により受け付ける。入力部１１０は、表示部１４が一覧画面を表示している状態で、通信相手情報を操作部１５での操作により受け付ける。
【００８７】
入力部１１０は、さらに、マイクロホン１７で取得した音声のデータであって通信端末６０との通信（通話）に係る音声データを入力情報として、マイクロホン１７から受け取る。例えば、入力部１０１は、通信端末６０との通信（通話）の開始を表す音声データ、及び終了を表す音声データを受け取る。
【００８８】
入力部１１０は、表示部１４が一覧画面を表示している状態で、通信相手情報を音声データとしてマイクロホン１７から受け取る。
【００８９】
入力部１１０は、操作者が発した特定の文言を表す音声のデータ（判別用音声データ）を、マイクロホン１７から受け取る。
【００９０】
判別部１１１は、判別用音声データ及び記憶部１３ａが記憶している利用者一覧表を基に、インターホン装置１０ａの操作者（話者）を判別する。具体的には、記憶部１３ａが記憶している各利用者音声データと、判別用音声データとを用いた音声認識処理を行い、話者を判別する。
【００９１】
処理部１１２は、判別部１１１が判別した話者に対応する情報端末５０を、記憶部１３ａが記憶している端末一覧表を基に特定する。具体的には、処理部１１２は、話者の名前に対応する情報端末５０を端末一覧から取得する。
【００９２】
処理部１１２は、入力部１１０が通信相手情報を音声データとして入力部１１０から受け取ると、受け取った音声データを基に、通信相手名を特定する。処理部１１２は、特定した通信相手名を基に、対応する電話番号を記憶部１３ａから取得し、取得した電話番号を含む指示情報を生成する。
【００９３】
処理部１１２は、通信（通話）の終了を表す音声データを入力部１１０から受け取ると、終了情報を生成する。
【００９４】
次に、音声データを用いてインターホン装置１０ａが通信相手としての通信端末６０を指定し、通信を行う場合の動作について、説明する。ここでは、実施形態１と同様に、情報端末５０において通信アプリケーションが起動されている。
【００９５】
インターホン装置１０ａの入力部１１０は、判別用音声データをマイクロホン１７から受け取る。判別部１１１は、判別用音声データ及び利用者一覧表を基に、音声認識処理を実行してインターホン装置１０ａの操作者（話者）を判別する。
【００９６】
処理部１１２は、判別部１１１が判別した話者に対応する情報端末５０を、記憶部１３ａが記憶している端末一覧表を基に特定する。
【００９７】
インターホン装置１０ａの入力部１１０は、表示部１４が一覧画面を表示している状態で、通信相手情報を音声データとしてマイクロホン１７から受け取る。処理部１１２は、通信相手情報である音声データを基に、通信相手名特定し、特定した通信相手名に対応する電話番号を記憶部１３ａから取得し、取得した電話番号を含む指示情報を生成する。
【００９８】
情報端末５０の制御部５３は、インターホン装置１０ａから指示情報を受け取ると、指示情報に含まれる電話番号を用いて当該電話番号に対応する通信端末６０に対して発呼を行う。
【００９９】
通信端末６０において発呼に対する応答が行われると、インターホン装置１０ａと通信端末６０とは、情報端末５０を介した通話を行う。
【０１００】
処理部１１２は、通信（通話）の終了を表す音声データを入力部１１０から受け取ると、終了情報を生成する。
【０１０１】
通信制御部１０３は、処理部１０２が生成した終了情報を情報端末５０に送信する。情報端末５０の制御部５３は、インターホン装置１０ａから終了情報を受け取ると、終了処理を行い、情報端末５０と通信端末６０との間の通信（通話）を終了する。
【０１０２】
施設５外の通信端末６０から施設５内の情報端末５０に受電があった場合の動作は、実施形態１の場合と同様であるので、ここでの説明は省略する。
【０１０３】
以下、実施形態２における変形例について説明する。
【０１０４】
本実施形態において、インターホン装置１０ａは、情報端末５０を所持する人ごとに、通信端末６０の電話番号と通信（通話）を行う相手の名前（通信相手名）とを対応付けたテーブルを記憶してもよい。この場合、処理部１１２は、音声認識処理で識別された話者に対応するテーブルを取得する。処理部１１２は、音声データである通信相手情報及び取得したテーブルを用いて、通信相手名を特定する。このように、音声認識処理の結果は、通信時に接続する情報端末５０を切り替えるために用いることに限らず、例えば、通信端末６０の電話番号と通信を行う相手の名前（通信相手名）とを対応付けたテーブルの切り替えに用いることもできる。
【０１０５】
（その他の変形例）
以下に、その他の変形例について説明する。なお、以下に説明する変形例は、上記各実施形態及び各変形例と適宜組み合わせて適用可能である。
【０１０６】
上記各実施形態は、本開示の様々な実施形態の一つに過ぎない。上記各実施形態は、本開示の目的を達成できれば、設計等に応じて種々の変更が可能である。また、インターホン装置１０と同様の機能は、制御方法、コンピュータプログラム、又はプログラムを記録した記録媒体等で具現化されてもよい。一態様に係るインターホン装置１０の制御方法は、通信制御ステップと入力ステップとを含む。通信制御ステップは、施設５内の情報端末５０と通信する。通信制御ステップは、入力ステップで受け付けた入力情報に基づいて、情報端末５０を介して施設５外の他の端末（通信端末６０）との通信を行う。一態様に係るプログラムは、コンピュータシステムを、上述したインターホン装置１０として機能させるためのプログラムである。
【０１０７】
また、施設５内の情報端末５０と同様の機能は、通信方法、コンピュータプログラム、又はプログラムを記録した記録媒体等で具現化されてもよい。一態様に係る情報端末５０の通信方法は、インターホン装置１０と他の端末（通信端末６０）との間の通信経路で情報を入出力するように制御する制御ステップを含む。通信方法は、インターホン装置１０と他の端末との間での通信における中継器として機能させる。一態様に係るプログラムは、コンピュータに、インターホン装置１０と他の端末（通信端末６０）との間の通信経路で情報を入出力して、インターホン装置１０と他の端末との間での通信における中継器として機能させる。
【０１０８】
本開示におけるインターホン装置１０又はインターホン装置１０で用いられる制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホン装置１０又はインターホン装置１０で用いられる制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０９】
本開示における情報端末５０又は情報端末５０で用いられる通信方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における情報端末５０又は情報端末５０で用いられる通信方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１０】
コンピュータシステムであるインターホン装置１０，１０ａは、１または複数のコンピュータで構成されるシステムであってもよい。例えば、インターホン装置１０，１０ａの少なくとも一部の機能は、クラウド（クラウドコンピューティング）によって実現されてもよい。例えば、実施形態２においてインターホン装置１０ａが、音声認識処理を行う構成としたが、音声認識処理をクラウド（クラウドコンピューティング）によって実現してもよい。
【０１１１】
上記各実施形態において、インターホン装置１０と情報端末５０との通信は、ルータ４０を介してＷｉ−Ｆｉに準拠した近距離無線通信とする構成としたが、この構成に限定されない。インターホン装置１０と情報端末５０との通信は、他の通信、例えばＢｌｕｅｔｏｏｔｈ（登録商標）であってもよい。
【０１１２】
上記各実施形態において、情報端末５０と通信端末６０との間の通信には、ネットワークとして携帯電話網６を用いる構成としたが、この構成に限定されない。情報端末５０と通信端末６０との間の通信には、携帯電話網６に限らず、他のネットワークであってもよい。
【０１１３】
上記各実施形態において、インターホン装置１０，１０ａを含むインターホンシステム１は、集合住宅用のシステムであるとしたが、戸建用のインターホンシステムであってもよい。インターホンシステム１が戸建用のインターホンシステムである場合、インターホンシステム１は、インターホン装置１０及びインターホン子機２１を備える。つまり、インターホンシステム１は、インターホン装置１０及びインターホン子機２１を少なくとも備える。
【０１１４】
上記各実施形態において、情報端末５０は携帯型の端末として説明した。しかしながら、情報端末５０は、携帯型の端末に限らず、据え置き型の端末であってもよい。
【０１１５】
上記各実施形態において、通信端末６０と情報端末５０とは、通信として通話を行う構成としたが、これに限定されない。通信端末６０と情報端末５０とは、通信として電子メール等の情報の送受信を行う構成であってもよい。この場合、例えば、情報端末５０はインターホン装置１０から受け取った音声データで表させる音声の内容を文字変換してテキストとして電子メールで通信端末６０へ送信する。通信端末６０では、テキストが表す情報（文字情報）を表示する。情報端末５０は、通信端末６０から受け取った電子メールをインターホン装置１０に送信する。インターホン装置１０は、電子メールの内容を表示部１４に表示する。なお、情報端末５０は、通信端末６０から受け取った電子メールの内容を音声データに変換してインターホン装置１０に送信してもよい。この場合、インターホン装置１０は、音声データに基づく音声をスピーカ１６から出力する。
【０１１６】
また、情報端末５０はインターホン装置１０とルータ４０を介して通信を行う場合には、情報端末５０は、施設５内に限らず通信可能な所定の範囲内に存在していればよい。
【０１１７】
（まとめ）
以上説明したように、第１の態様のインターホン装置（１０，１０ａ）は、施設（５）内に設けられる。インターホン装置（１０，１０ａ）は、所定の範囲内（例えば、施設５内）にある情報端末（５０）と通信する通信制御部（１０３）と、入力部（１０１，１１０）とを備える。通信制御部（１０３）は、入力部（１０１，１１０）で受け付けた入力情報に基づいて、情報端末（５０）を介して施設（５）外の他の端末（通信端末６０）との通信を行う機能を有している。
【０１１８】
この構成によると、インターホン装置（１０，１０ａ）は、施設（５）内の情報端末（５０）を介して施設（５）外の他の端末との通信が可能となる。
【０１１９】
ここで、インターホン親機（以下、比較例装置という）と施設（５）外の通信端末（６０）との通信として、ロビーインターホン（２０）との通信で用いられる制御装置（３０）を介した通信が考えられる。この場合、各比較例装置と制御装置（３０）とを接続する伝送路における通信帯域により他の端末との通信可能な比較例装置の台数に制限がある。そのため、すべての比較例装置が同時に、制御装置（３０）を介した他の端末との通信ができない。一方、本開示では、インターホン装置（１０）は、施設（５）内の情報端末（５０）を介して他の端末と通信を行うので、各インターホン装置（１０）と制御装置（３０）とを接続する伝送路の制約は受けない。したがって、すべてのインターホン装置（１０）が同時に、施設（５）外の他の端末との通信が可能となる。
【０１２０】
第２の態様のインターホン装置（１０，１０ａ）では、第１の態様において、通信制御部（１０３）は、情報端末（５０）を介した他の端末との通信に係る情報として、情報端末（５０）を介した他の端末との通話を指示する指示情報を、情報端末（５０）に送信する。
【０１２１】
この構成によると、インターホン装置（１０，１０ａ）は、施設（５）内の情報端末（５０）を介して他の端末との通話が可能となる。
【０１２２】
第３の態様のインターホン装置（１０，１０ａ）では、第２の態様において、通信制御部（１０３）は、指示情報を送信した後、情報端末（５０）を介した他の端末との通話に係る情報を送受信する機能を有している。
【０１２３】
この構成によると、インターホン装置（１０，１０ａ）は、指示情報の送信を契機として、情報端末（５０）を介した他の端末との通話が可能となる。
【０１２４】
第４の態様のインターホン装置（１０，１０ａ）では、第３の態様において、通信制御部（１０３）は、入力部（１０１，１１０）が入力情報として他の端末との通信の終了を表す情報を受け付けると、終了情報を情報端末（５０）に送信する機能を有している。終了情報は、情報端末（５０）を介した他の端末との通話の終了を指示する情報である。
【０１２５】
この構成によると、インターホン装置（１０，１０ａ）は、終了情報の送信を契機として、情報端末（５０）を介した他の端末との通話の終了が可能となる。
【０１２６】
第５の態様のインターホン装置（１０，１０ａ）では、第１〜第４のいずれかの態様において、情報端末（５０）を介した他の端末との通信において、情報端末（５０）との間の通信に用いられる通信プロトコルは、情報端末（５０）と他の端末との間の通信に用いられる通信プロトコルとは異なっている。
【０１２７】
この構成によると、インターホン装置（１０，１０ａ）は、情報端末（５０）との間の通信プロトコルと、情報端末（５０）と他の端末との間の通信プロトコルとを異ならせて、他の端末との通信を行うことができる。
【０１２８】
第６の態様のインターホン装置（１０，１０ａ）では、第１〜第５のいずれかの態様において、入力部（１０１，１１０）は、通信制御部（１０３）との通信の対象となる対象情報端末が施設（５）内に複数台存在する場合には、複数台の対象情報端末から選択された１つの対象情報端末を情報端末（５０）として受け付ける。通信制御部（１０３）は、入力部１０１，１１０）が受け付けた情報端末（５０）を介して他の端末との通信を行う。
【０１２９】
この構成によると、インターホン装置（１０，１０ａ）は、複数の対象情報端末が存在する場合には、１台の対象情報端末を情報端末（５０）として選択することができる。そのため、インターホン装置（１０，１０ａ）が、操作者が所望する情報端末（５０）を介して他の端末との通信を行うことができる。
【０１３０】
第７の態様のインターホン装置（１０，１０ａ）では、第１〜第６のいずれかの態様において、通信制御部（１０３）は、情報端末（５０）が他の端末からの発呼を受け取ったことを表す受電通知を情報端末（５０）から受信する機能を有している。
【０１３１】
この構成によると、インターホン装置（１０，１０ａ）は、他の装置からの要求により情報端末（５０）を介した通信を行うことができる。
【０１３２】
第８の態様のインターホン装置（１０，１０ａ）は、第７の態様において、出力部（１０４）を、更に備える。出力部（１０４）は、通信制御部（１０３）が受電通知を受け取った場合に、他の端末に係る情報を出力する。
【０１３３】
この構成によると、インターホン装置（１０，１０ａ）は、通信の要求がある他の端末の情報を出力するので、インターホン装置（１０，１０ａ）の操作者は、通信の要求がある他の端末について知ることができる。
【０１３４】
第９の態様のインターホン装置（１０，１０ａ）では、第８の態様において、出力部（１０４）は、通信制御部（１０３）が受電通知を受け取った場合に、情報端末（５０）に係る情報を出力する。
【０１３５】
この構成によると、インターホン装置（１０，１０ａ）は、通信の要求がある他の端末の情報を中継する情報端末（５０）の情報を出力する。これにより、インターホン装置（１０，１０ａ）の操作者は、他の端末からの発呼を受け取った情報端末（５０）について知ることができる。
【０１３６】
第１０の態様のインターホン装置（１０，１０ａ）では、第１〜第９のいずれかの態様において、入力部（１１０）は、入力情報として音声を表す音声データを受け付ける。通信制御部（１０３）は、音声データに基づいて、情報端末（５０）を介した他の端末との通信を行う。
【０１３７】
この構成によると、インターホン装置（１０，１０ａ）は、音声を受け付けることで、情報端末（５０）を介した他の端末との通信を行う。これにより、インターホン装置（１０，１０ａ）は、操作者の簡単な操作で、情報端末（５０）を介した他の端末との通信を行うことができる。
【０１３８】
第１１の態様のインターホン装置（１０，１０ａ）は、第１０の態様において、判別部（１１１）を、さらに備える。判別部（１１１）は、複数の利用者の各々の音声データである登録情報を基に、複数の利用者のうち音声の話者を判別する。
【０１３９】
この構成によると、インターホン装置（１０，１０ａ）は、音声の話者を判別するので、複数の利用者のうち他の端末との通信を所望する利用者を認識することができる。これにより、例えば、インターホン装置（１０，１０ａ）は、他の端末との通信を所望する利用者の情報端末（５０）を介して他の端末との通信を行うことができる。
【０１４０】
第１２の態様のインターホンシステム（１）は、第１〜第１１のいずれかの態様のインターホン装置（１０，１０ａ）と、情報端末（５０）を介さずにインターホン装置（１０，１０ａ）と通話するための通話装置（例えば、ロビーインターホン２０、インターホン子機２１）とを備える。
【０１４１】
この構成によると、インターホン装置（１０，１０ａ）は、施設（５）内の情報端末（５０）を介して施設（５）外の他の端末との通信が可能となる。
【０１４２】
第１３の態様のプログラムは、第１〜第１１のいずれかの態様のインターホン装置（１０，１０ａ）と通信する情報端末（５０）で用いられる。プログラムは、コンピュータに、ンターホン装置と他の端末との間の通信経路で情報を入出力して、インターホン装置（１０，１０ａ）と他の端末との間での通信における中継器として機能させる。
【０１４３】
このプログラムによると、情報端末（５０）はインターホン装置（１０，１０ａ）と他の端末との間での通信における中継器として機能する。そのため、インターホン装置（１０，１０ａ）は、施設（５）内の情報端末（５０）を介して施設（５）外の他の端末との通信が可能となる。
【符号の説明】
【０１４４】
１    インターホンシステム
５，５ａ，５ｂ，５ｃ  施設
１０，１０ａ  インターホン装置
２０    ロビーインターホン（通話装置）
２１    インターホン子機（通話装置）
５０，５０ａ，５０ｂ  情報端末
６０    通信端末（他の端末）
１０１，１１０    入力部
１０３    通信制御部
１０４    出力部
１１１    判別部
【図１】
2019068357.tif 000003
【図２】
2019068357.tif 000004
【図３】
2019068357.tif 000005
【図４】
2019068357.tif 000006